(57)【要約】【課題】髪を梳き流しながら乾燥させる作業を、楽な姿勢で効果的に行うことができ、必要時には整髪体を即座に使用できる使い勝手に優れたヘアードライヤーを提供する。【解決手段】乾燥風を吹出し供給する本体ケース１と、本体ケース１で支持される整髪体２１を備えている。整髪体２１は一群の整髪要素３１と、整髪要素３１を支持する支持ベース３０を備えている。整髪体２１は本体ケース１で整髪姿勢と収容姿勢の間で姿勢変更可能に支持されている。整髪姿勢における整髪体２１は、本体ケース１の吹出口５側の端部から突出して、整髪要素３１が乾燥風の吹き出し領域に臨ませてある。収容姿勢における整髪体２１は、整髪要素３１が乾燥風の吹き出し領域から退避して、本体ケース１の周囲に沿う状態で収納されている。【選択図】図１
2019126633.tif 000002
【特許請求の範囲】
【請求項１】
乾燥風を吹出し供給する本体ケース（１）と、本体ケース（１）に着脱される整髪ユニットを備えており、
整髪ユニットの整髪体（２１）は一群の整髪要素（３１）と、整髪要素を支持する支持ベース（３０）を備えており、
整髪体（２１）は本体ケース（１）で整髪姿勢と収容姿勢の間で姿勢変更可能に支持されており、
整髪姿勢における整髪体（２１）は、本体ケース（１）の吹出口（５）側の端部から突出されて整髪要素（３１）が乾燥風の吹き出し領域に臨ませてあり、
収容姿勢における整髪体（２１）は、整髪要素（３１）が乾燥風の吹き出し領域から退避して、本体ケース（１）の周囲に沿う状態で収納されていることを特徴とするヘアードライヤー。
【請求項２】
整髪姿勢における整髪体（２１）の支持ベース（３０）が、本体ケース（１）の吹出口（５）から吹出し供給される乾燥風の吹出し中心軸（Ｐ）に沿って突設されており、
整髪体（２１）の整髪要素（３１）の一群が、支持ベース（３０）から乾燥風の吹出し中心軸（Ｐ）に向かって多列状に突設されている請求項１に記載のヘアードライヤー。
【請求項３】
本体ケース（１）に、送風ファン（１１）を駆動するモーター（１２）と、乾燥風を加熱するヒーター（１３）と、モーター（１２）およびヒーター（１３）の作動状態を制御する制御部（１５）と、整髪体（２１）の姿勢が切換えられたことを検知する姿勢検知スイッチ（６１）が配置されており、
整髪体（２１）が整髪姿勢に切換え操作されたことを姿勢検知スイッチ（６１）が検知した状態において、姿勢検知スイッチ（６１）の出力信号を受けた制御部（１５）がモーター（１２）の駆動回転数を増加させ、あるいはヒーター（１３）の発熱量を減少させる請求項１または２に記載のヘアードライヤー。
【請求項４】
乾燥風の吹出し中心軸（Ｐ）と、吹出し中心軸（Ｐ）と直交する垂直線（Ｑ）を想定し、本体ケース（１）の下面に突設した本体グリップ（２）のグリップ中心軸線（Ｒ）と、前記垂直線（Ｑ）が挟む角度を（θ）とするとき、
整髪姿勢に切換えられた整髪体（２１）の整髪軸線（Ｓ）と、乾燥風の吹出し中心軸（Ｐ）が挟む角度が前記角度（θ）に設定してある請求項１から３のいずれかひとつに記載のヘアードライヤー。
【請求項５】
乾燥風の吹き出し領域における最終出口（２６）の開口縁の延長形状線（Ｋ）を想定するとき、
整髪要素（３１）が、吹出口（５）の開口縁の延長形状線（Ｋ）と交差させてある請求項１から４のいずれかひとつに記載のヘアードライヤー。
【請求項６】
本体ケース（１）の吹出口（５）に臨んで、送風ファン（１１）から送給された乾燥風を変向案内する複数の変向板（４８）と、変向板（４８）を切換え操作する変向板操作体（４９）を備えた変向機構（２２）が設けられており、
変向板（４８）は、送風ファン（１１）から送給された乾燥風を乾燥風の吹出し中心軸（Ｐ）に沿って送出案内する待機姿勢と、送風ファン（１１）から送給された乾燥風を整髪体（２１）に向かって変向案内する変向姿勢との間で姿勢変更可能に支持されており、
整髪体（２１）が収容姿勢から整髪姿勢に切換えられるのに連動して、変向機構（２２）の変向板（４８）を変向板操作体（４９）で待機姿勢から変向姿勢に切換え操作できる請求項１から５のいずれかひとつに記載のヘアードライヤー。
【請求項７】
整髪体（２１）が、直線軸状の支持ベース（３０）と、同ベース（３０）に沿って列設される整髪要素（３１）を備えており、
整髪要素（３１）が乾燥風の吹き出し領域に臨む整髪姿勢と、整髪要素（３１）が乾燥風の吹き出し領域から退避する収容姿勢の間で、整髪体（２１）が本体ケース（１）に対して支軸（３６）回りに反転回動可能に支持されている請求項１から６のいずれかひとつに記載のヘアードライヤー。
【請求項８】
整髪ユニットは、整髪体（２１）および変向機構（２２）と、これら両者（２１・２２）を支持する整髪ノズル（２０）とでアタッチメント化されており、
整髪ノズル（２０）の内部に変向板（４８）と変向板操作体（４９）が配置されて、整髪体（２１）が整髪ノズル（２０）で整髪姿勢と収容姿勢の間で姿勢切換え可能に支持してある請求項６または７に記載のヘアードライヤー。
【請求項９】
付属品装着部（８）に着脱される補助ノズル（７０）を備えているヘアードライヤーであって、
本体ケース（１）と整髪ユニットの間に、整髪ユニットに設けた姿勢検知スイッチ（６１）の出力信号を受け継ぐコネクター（６５）が設けてあり、
コネクター（６５）は、整髪ユニットの側に設けられるコネクターピン（６６）と、本体ケース（１）の側に設けられる接続端子（６７）を備えており、
補助ノズル（７０）に接続端子（６７）と係合するダミーピン（７４）が設けてある請求項８に記載のヘアードライヤー。
【請求項１０】
本体ケース（１）の一端および他端に吸込口（４）と吹出口（５）が開口されており、
本体ケース（１）の吸込口（４）に、本体ケース（１）を乾燥風の吹出し中心軸（Ｐ）の回りに回転操作する補助グリップ（９０）が着脱自在に装着されており、
補助グリップ（９０）が、乾燥風の吹出し中心軸（Ｐ）に沿って突設されるグリップ軸部（９２）を備えている請求項１から９のいずれかひとつに記載のヘアードライヤー。
【請求項１１】
補助グリップ（９０）が、吸込口（４）に外嵌される装着部（９１）とグリップ軸部（９２）を一体に備えており、
グリップ軸部（９２）が、装着部（９１）の内部に連通する通気自在な筒軸で形成してある請求項１０に記載のヘアードライヤー。
【請求項１２】
装着部（９１）の周面に外部空気の通過を許す吸気開口（９５）が形成され、グリップ軸部（９２）の突端に外部空気の通過を許す吸気口（９７）が形成してある請求項１１に記載のヘアードライヤー。
【請求項１３】
本体ケース（１）の周面に本体グリップ（２）が設けられており、
本体グリップ（２）は、グリップ軸部（９２）の内部に着脱可能な装着部（２ａ）を備えており、
装着部（９１）を載置面に載置し、装着部（２ａ）をグリップ軸部（９２）に装着することにより、補助グリップ（９０）が本体ケース（１）のスタンドを兼ねている請求項１０から１２のいずれかひとつに記載のヘアードライヤー。
【請求項１４】
整髪体（２１）が、直線軸状の支持ベース（３０）と、同ベース（３０）に沿って列設される整髪要素（３１）を備えており、
整髪要素（３１）が乾燥風の吹き出し領域に臨む整髪姿勢と、整髪要素が乾燥風の吹き出し領域から退避する収容姿勢の間で、整髪体（２１）が本体ケース（１）に対して変位可能に支持されており、
整髪体（２１）が整髪姿勢に切換えられた状態において、支持ベース（３０）が本体ケース（１）の吹出口（５）の側からベース突端側に向かって下り傾斜されて、ベース突端側の整髪要素（３１）が乾燥風の吹出し中心軸（Ｐ）と交差させてある請求項１から３のいずれかひとつに記載のヘアードライヤー。
【請求項１５】
本体ケース（１）の吹出口（５）に設けた付属品装着部（８）に、整髪ユニットが着脱可能に装着されており、
整髪ユニットは、付属品装着部（８）に装着される整髪ノズル（２０）と、整髪ノズル（２０）で整髪姿勢と収容姿勢の間で姿勢切換え可能に支持される整髪体（２１）を備えており、
付属品装着部（８）に装着した整髪ノズル（２０）は、本体ケース（１）で乾燥風の吹出し中心軸（Ｐ）の回りに回転可能に支持されており、
整髪ノズル（２０）が、本体ケース（１）と整髪ノズル（２０）の間に設けた節度構造で一定の回転角度おきに係合保持される請求項１４に記載のヘアードライヤー。
【請求項１６】
乾燥風を吹出し供給する本体ケース（１）と、本体ケース（１）の吹出口（５）に装着される整髪ユニットを備えており、
本体ケース（１）に、乾燥風を加熱するヒーター（１３）と、送風ファン（１１）を駆動するモーター（１２）と、ヒーター（１３）およびモーター（１２）の作動状態を制御する制御部（１５）が設けられており、
整髪ユニットは、吹出口（５）に連続する風導筒部（１０１）と、風導筒部（１０１）の出口（１０２）から送給される乾燥風の送給領域内に設けられる整髪体（２１）を備えており、
本体ケース（１）に、整髪ユニットが吹出口（５）に装着されたことを検知する着脱検知スイッチ（１１３）が配置されており、
整髪ユニットが吹出口（５）に装着されたことを着脱検知スイッチ（１１３）が検知した状態において、制御部（１５）がヒーター（１３）の発熱量を減少させ、あるいはモーター（１２）の駆動回転数を増加させることを特徴とするヘアードライヤー。
【請求項１７】
乾燥風を吹出し供給する本体ケース（１）と、本体ケース（１）の周面から突出する本体グリップ（２）と、本体ケース（１）の吹出口（５）に装着される整髪ユニットを備えており、
本体ケース（１）に、乾燥風を加熱するヒーター（１３）と、送風ファン（１１）を駆動するモーター（１２）と、ヒーター（１３）およびモーター（１２）の作動状態を制御する制御部（１５）が設けられており、
本体グリップ（２）は、本体ケース（１）の下方に突出する使用姿勢と、本体ケース（１）の吸込口（４）の側へ折起こされる第２収納姿勢との間で変位できるよう、本体ケース（１）に設けた支軸（１６）で支持されており、
整髪ユニットは、吹出口（５）に連続する風導筒部（１０１）と、風導筒部（１０１）の出口（１０２）から送給される乾燥風の送給領域内に設けられる整髪体（２１）を備えており、
本体ケース（１）に、本体グリップ（２）が第２収納姿勢に切換ったことを検知するグリップ検知スイッチ（１１４）が配置されており、
本体グリップ（２）が第２収納姿勢に切換ったことをグリップ検知スイッチ（１１４）が検知した状態において、制御部（１５）がヒーター（１３）の発熱量を減少させ、あるいはモーター（１２）の駆動回転数を増加させることを特徴とするヘアードライヤー。
【請求項１８】
整髪ユニットの風導筒部（１０１）が、本体ケース（１）の吹出口（５）に連続する握り凹部（１０５）を備えており、
握り凹部（１０５）が前記吹出口（５）の外径寸法（Ｂ１）より小径の領域において凹み形成されている請求項１６、または１７に記載のヘアードライヤー。
【請求項１９】
整髪ユニットの風導筒部（１０１）が、本体ケース（１）の吹出口（５）に連続する握り凹部（１０５）と、握り凹部（１０５）に連続するベルマウス部（１０６）を備えており、
ベルマウス部（１０６）が握り凹部（１０５）に連続して、風導筒部（１０１）の出口（１０２）へ向かって拡径状に形成されている請求項１８に記載のヘアードライヤー。
【請求項２０】
風導筒部（１０１）の出口（１０２）の外径寸法（Ｄ１）が、本体ケース（１）の吹出口（５）の外径寸法（Ｂ１）より大きく設定してある請求項１８または１９に記載のヘアードライヤー。
【請求項２１】
本体ケース（１）の吸込口（４）の外径寸法（Ａ１）と、本体ケース（１）の吹出口（５）の外径寸法（Ｂ１）と、風導筒部（１０１）の出口（１０２）の外径寸法（Ｄ１）が、不等式（Ｂ１＜＝Ｄ１＜＝Ａ１）を満足するように設定してある請求項１８から２０のいずれかひとつに記載のヘアードライヤー。
【請求項２２】
風導筒部（１０１）の握り凹部（１０５）が内壁（１０８）と、内壁（１０８）の外に設けられて、内壁（１０８）に手が触れるのを阻止する外壁（１１０）で構成されている請求項１８から２１のいずれかひとつに記載のヘアードライヤー。
【発明の詳細な説明】
【技術分野】
【０００１】
本発明は、ブラシや櫛などの整髪体を備えているヘアードライヤーに関する。
【背景技術】
【０００２】
この種のヘアードライヤーに関して、例えば特許文献１の乾燥機に取付けるウェーブ用櫛が公知である。そこでは、乾燥機（ヘアードライヤー）の吹出口に、ウェーブ用櫛を着脱可能に装着している。ウェーブ用櫛は、吹出口に着脱される取付け環と、取付け環から乾燥風の吹出し中心線と平行に突設される櫛を一体に備えており、櫛の先端に乾燥風の吹出し中心線と直交する歯を備える。ウェーブ用櫛を使用する場合には、乾燥機の吹出口に取付け環を装着し、ウェーブを形成する毛髪の基部に櫛の歯をあてがった状態で熱風を吹き付け、捲縮用の櫛で毛髪の先端側を曲げてくせ付けする。また、髪を乾燥させる目的で乾燥機を使用する場合には、ウェーブ用櫛を吹出口から取外す。
【先行技術文献】
【特許文献】
【０００３】
【特許文献１】実公昭３７−１３４２１号公報
【発明の概要】
【発明が解決しようとする課題】
【０００４】
特許文献１のウェーブ用櫛では、櫛の歯が熱風の吹出し中心線と直角に設けられているため、髪を櫛で梳きながら乾燥させる場合の使い勝手に問題がある。具体的には、特許文献１のウェーブ用櫛で髪を梳き流すには、乾燥機を乾燥風の吹出し中心線に沿って移動させる必要があるため、無理な姿勢で髪を梳きながら乾燥させる必要があり、とくに後頭部側の髪を自分自身で梳きながら乾燥させることは極めて困難となる。また、不使用時のウェーブ用櫛は、吹出口から取外して保管しておく必要があるが、保管場所を忘れてしまうことがあり、あるいは他の美容器具に紛れてしまうことが多く、ウェーブ用櫛を使用したい場合に即座に使用できない不便もある。
【０００５】
本発明の目的は、整髪体で髪を梳き流しながら乾燥させる作業を、常に楽な姿勢で効果的に行うことができ、しかも必要時には整髪体を即座に使用できる使い勝手に優れたヘアードライヤーを提供することにある。
【課題を解決するための手段】
【０００６】
本発明のヘアードライヤーは、乾燥風を吹出し供給する本体ケース１と、本体ケース１で支持される整髪体２１とを備えている。整髪体２１は一群の整髪要素３１と、整髪要素を支持する支持ベース３０とを備えている。整髪体２１は本体ケース１で整髪姿勢と収容姿勢の間で姿勢変更可能に支持されている。整髪姿勢における整髪体２１が、本体ケース１の吹出口５側の端部から突出されて整髪要素３１が乾燥風の吹き出し領域に臨んでおり、収容姿勢における整髪体２１が、整髪要素３１が乾燥風の吹き出し領域から退避して、本体ケース１の周囲に沿う状態で収納されていることを特徴とする。
【０００７】
整髪姿勢における整髪体２１の支持ベース３０は、本体ケース１の吹出口５から吹出し供給される乾燥風の吹出し中心軸Ｐに沿って突設されている。整髪体２１の整髪要素３１の一群が、支持ベース３０から乾燥風の吹出し中心軸Ｐに向かって多列状に突設されている。
【０００８】
本体ケース１に、送風ファン１１を駆動するモーター１２と、乾燥風を加熱するヒーター１３と、モーター１２およびヒーター１３の作動状態を制御する制御部１５と、整髪体２１の姿勢が切換えられたことを検知する姿勢検知スイッチ６１（図１参照）が配置されている。整髪体２１が整髪姿勢に切換え操作されたことを姿勢検知スイッチ６１が検知した状態においては、姿勢検知スイッチ６１の出力信号を受けた制御部１５がモーター１２の駆動回転数を増加させ、あるいはヒーター１３の発熱量を減少させる。
【０００９】
乾燥風の吹出し中心軸Ｐと、吹出し中心軸Ｐと直交する垂直線Ｑを想定し、本体ケース１の下面に突設した本体グリップ２のグリップ中心軸線Ｒと、前記垂直線Ｑが挟む角度をθとするとき、整髪姿勢に切換えられた整髪体２１の整髪軸線Ｓと、乾燥風の吹出し中心軸Ｐが挟む角度が前記角度θに設定されている（図１２参照）。
【００１０】
乾燥風の吹き出し領域における最終出口２６の開口縁の延長形状線Ｋ（図１参照）を想定するとき、整髪要素３１が吹出口５の開口縁の延長形状線Ｋと交差する構成を採ることができる。
【００１１】
本体ケース１の吹出口５に臨んで、送風ファン１１から送給された乾燥風を変向案内する複数の変向板４８と、変向板４８を切換え操作する変向板操作体４９を備えた変向機構２２が設けられている。変向板４８は、送風ファン１１から送給された乾燥風を乾燥風の吹出し中心軸Ｐに沿って送出案内する待機姿勢と、送風ファン１１から送給された乾燥風を整髪体２１に向かって変向案内する変向姿勢との間で姿勢変更可能に支持されている。整髪体２１が収容姿勢から整髪姿勢に切換えられるのに連動して、変向機構２２の変向板４８を変向板操作体４９で待機姿勢から変向姿勢に切換え操作できる。
【００１２】
整髪体２１は、直線軸状の支持ベース３０と、同ベース３０に沿って列設される整髪要素３１を備えている。整髪要素３１が乾燥風の吹き出し領域に臨む整髪姿勢と、整髪要素３１が乾燥風の吹き出し領域から退避する収容姿勢の間で、整髪体２１が本体ケース１に対して支軸３６回りに反転回動可能に支持されている。
【００１３】
整髪ユニットは、整髪体２１および変向機構２２と、これら両者２１・２２を支持する整髪ノズル２０とでアタッチメント化されている。整髪ノズル２０の内部に変向板４８と変向板操作体４９が配置されており、整髪体２１が整髪ノズル２０で整髪姿勢と収容姿勢の間で姿勢切換え可能に支持されている。
【００１４】
付属品装着部８に着脱される補助ノズル７０（図８参照）を備えているヘアードライヤーである。本体ケース１と整髪ユニットの間に、整髪ユニットに設けた姿勢検知スイッチ６１の出力信号を受け継ぐコネクター６５が設けられている。コネクター６５は、整髪ユニットの側に設けられるコネクターピン６６と、本体ケース１の側に設けられる接続端子６７を備えている。補助ノズル７０に接続端子６７と係合するダミーピン７４が設けられている。
【００１５】
本体ケース１の一端および他端に吸込口４と吹出口５が開口されている。本体ケース１の吸込口４に、本体ケース１を乾燥風の吹出し中心軸Ｐの回りに回転操作する補助グリップ９０が着脱自在に装着されている（図１６参照）。補助グリップ９０が、乾燥風の吹出し中心軸Ｐに沿って突設されるグリップ軸部９２を備えている。
【００１６】
補助グリップ９０は、吸込口４に外嵌される装着部９１とグリップ軸部９２を一体に備えている。グリップ軸部９２が、装着部９１の内部に連通する通気自在な筒軸で形成されている。
【００１７】
装着部９１の周面に外部空気の通過を許す吸気開口９５が形成され、グリップ軸部９２の突端に外部空気の通過を許す吸気口９７が形成されている。
【００１８】
本体ケース１の周面に本体グリップ２が設けられている。本体グリップ２は、グリップ軸部９２の内部に着脱可能な装着部２ａを備えている。装着部９１を載置面に載置し、装着部２ａをグリップ軸部９２に装着することにより、補助グリップ９０が本体ケース１のスタンドを兼ねている（図１７参照）。
【００１９】
整髪体２１が、直線軸状の支持ベース３０と、同ベース３０に沿って列設される整髪要素３１を備えている。整髪要素３１が乾燥風の吹き出し領域に臨む整髪姿勢と、整髪要素が乾燥風の吹き出し領域から退避する収容姿勢の間で、整髪体２１が本体ケース１に対して変位可能に支持されている。整髪体２１が整髪姿勢に切換えられた状態において、支持ベース３０が本体ケース１の吹出口５の側からベース突端側に向かって下り傾斜されて、ベース突端側の整髪要素３１が乾燥風の吹出し中心軸Ｐと交差されている（図１３参照）。
【００２０】
本体ケース１の吹出口５に設けた付属品装着部８に、整髪ユニットが着脱可能に装着されている。整髪ユニットは、付属品装着部８に装着される整髪ノズル２０と、整髪ノズル２０で整髪姿勢と収容姿勢の間で姿勢切換え可能に支持される整髪体２１を備えている。付属品装着部８に装着した整髪ノズル２０は、本体ケース１で乾燥風の吹出し中心軸Ｐの回りに回転可能に支持されている。整髪ノズル２０が、本体ケース１と整髪ノズル２０の間に設けた節度構造で一定の回転角度おきに係合保持される（図１３参照）。
【００２１】
本発明に係る別のヘアードライヤーは、乾燥風を吹出し供給する本体ケース１と、本体ケース１の吹出口５に装着される整髪ユニットを備えている。本体ケース１に、乾燥風を加熱するヒーター１３と、送風ファン１１を駆動するモーター１２と、ヒーター１３およびモーター１２の作動状態を制御する制御部１５が設けられている。整髪ユニットは、吹出口５に連続する風導筒部１０１と、風導筒部１０１の出口１０２から送給される乾燥風の送給領域内に設けられる整髪体２１を備えている。本体ケース１に、整髪ユニットが吹出口５に装着されたことを検知する着脱検知スイッチ１１３が配置されている（図１８参照）。整髪ユニットが吹出口５に装着されたことを着脱検知スイッチ１１３が検知した状態において、制御部１５がヒーター１３の発熱量を減少させ、あるいはモーター１２の駆動回転数を増加させることを特徴とする。
【００２２】
本発明に係るさらに別のヘアードライヤーは、乾燥風を吹出し供給する本体ケース１と、本体ケース１の周面から突出する本体グリップ２と、本体ケース１の吹出口５に装着される整髪ユニットを備えている。本体ケース１に、乾燥風を加熱するヒーター１３と、送風ファン１１を駆動するモーター１２と、ヒーター１３およびモーター１２の作動状態を制御する制御部１５が設けられている。本体グリップ２は、本体ケース１の下方に突出する使用姿勢と、本体ケース１の吸込口４の側へ折起こされる第２収納姿勢との間で変位できるよう、本体ケース１に設けた支軸１６で支持されている。整髪ユニットは、吹出口５に連続する風導筒部１０１と、風導筒部１０１の出口１０２から送給される乾燥風の送給領域内に設けられる整髪体２１を備えている。本体ケース１に、本体グリップ２が第２収納姿勢に切換ったことを検知するグリップ検知スイッチ１１４が配置されている（図２０参照）。本体グリップ２が第２収納姿勢に切換ったことをグリップ検知スイッチ１１４が検知した状態において、制御部１５がヒーター１３の発熱量を減少させ、あるいはモーター１２の駆動回転数を増加させることを特徴とする。
【００２３】
整髪ユニットの風導筒部１０１は、本体ケース１の吹出口５に連続する握り凹部１０５を備えている。握り凹部１０５は前記吹出口５の外径寸法Ｂ１より小径の領域において凹み形成されている（図１９参照）。
【００２４】
整髪ユニットの風導筒部１０１は、本体ケース１の吹出口５に連続する握り凹部１０５と、握り凹部１０５に連続するベルマウス部１０６を備えている。ベルマウス部１０６は握り凹部１０５に連続して、風導筒部１０１の出口１０２へ向かって拡径状に形成されている。
【００２５】
風導筒部１０１の出口１０２の外径寸法Ｄ１は、本体ケース１の吹出口５の外径寸法Ｂ１より大きく設定されている。
【００２６】
本体ケース１の吸込口４の外径寸法Ａ１と、本体ケース１の吹出口５の外径寸法Ｂ１と、風導筒部１０１の出口１０２の外径寸法Ｄ１が、不等式（Ｂ１＜＝Ｄ１＜＝Ａ１）を満足するように設定されている。
【００２７】
風導筒部１０１の握り凹部１０５が内壁１０８と、内壁１０８の外に設けられて、内壁１０８に手が触れるのを阻止する外壁１１０で構成されている。
【発明の効果】
【００２８】
本発明のヘアードライヤーにおいては、整髪体２１を本体ケース１で整髪姿勢と収容姿勢の間で姿勢変更可能に支持し、整髪姿勢における整髪体２１の整髪要素３１を乾燥風の吹き出し領域に臨ませるようにした。また、収容姿勢における整髪体２１は、整髪要素３１が乾燥風の吹き出し領域から退避して、本体ケース１の周囲に沿う状態で収納されるようにした。こうしたヘアードライヤーによれば、整髪体２１で髪を梳き流しながら乾燥させる作業を、常に楽な姿勢で効果的に行える。また、本体ケース１の周囲に整髪体２１を常備しているので、必要時には整髪体２１を即座に使用可能な状態にすることができ、全体として使い勝手に優れたヘアードライヤーを提供できる。
【００２９】
整髪体２１は、整髪姿勢において乾燥風の吹出し中心軸Ｐに沿って突設される支持ベース３０と、支持ベース３０から乾燥風の吹出し中心軸Ｐに向かって多列状に突設される整髪要素３１の一群で構成するようにした。こうした整髪ユニットを備えたヘアードライヤーによれば、ヘアードライヤーを乾燥風の吹出し中心線Ｐと交差する向きに移動させることで、髪を整髪体２１で梳きながら乾燥させることができ、従来の乾燥機に比べて、自然で楽な姿勢で髪処理を行うことができる。また、整髪体２１には多列状に突設される整髪要素３１の一群が設けてあるので、髪の乾燥、梳き流し、くせ付けなどの各種の髪処理に適した量の髪を整髪要素３１で過不足なく捕捉して、髪処理を効果的に行うことができる。
【００３０】
本体ケース１に姿勢検知スイッチ６１を設けておき、整髪体２１が整髪姿勢に切換え操作されたことを姿勢検知スイッチ６１が検知した状態では、制御部１５がモーター１２の駆動回転数を増加させ、あるいはヒーター１３の発熱量を減少させるようにした。こうしたヘアードライヤーによれば、整髪体２１で捕捉された髪に送給される乾燥風の温度を低下して、高温の温風が髪に過度に送給されるのを解消できるので、髪にダメージを与えることなく好適に髪処理を行うことができる。
【００３１】
本体グリップ２のグリップ中心軸線Ｒと、垂直線Ｑが挟む角度をθとするとき、整髪姿勢に切換えられた整髪体２１の整髪軸線Ｓと、乾燥風の吹出し中心軸Ｐが挟む角度を角度θと同じに設定するようにした。このように、整髪体２１の傾きが本体グリップ２の傾きとの関係で設定してあると、本体グリップ２を握った状態で髪の乾燥あるいは梳き流し作業を行う場合に、整髪体２１と本体グリップ２の傾きの差を修正しながらヘアードライヤーを移動操作する必要がない。従って、髪の乾燥あるいは梳き流し作業を、楽な姿勢で容易に行うことができる。
【００３２】
整髪要素３１が、吹出口５の開口縁の延長形状線Ｋと交差させてあると、整髪ノズル２０の出口２６から送給された勢いがある強い流れの乾燥風を、ブリッスル３１で捕捉した髪に吹付けることができる。従って、髪を梳き流しながら行う乾燥あるいはくせ付けなどの髪処理を効果的に行うことができる。
【００３３】
本体ケース１の吹出口５に臨んで変向機構２２を設け、整髪体２１が整髪姿勢に切換えられるのに連動して、変向板４８を変向板操作体４９で変向姿勢に切換え操作し、送風ファン１１から送給された乾燥風を整髪体２１に向かって変向案内できるようにした。こうしたヘアードライヤーによれば、吹出口５から送給される乾燥風の大半をヘアーブラシ２１に向かって流動案内できるので、髪の乾燥やくせ付けをさらに効果的に行うことができる。
【００３４】
直線軸状の支持ベース３０と、同ベース３０に沿って列設される整髪要素３１で整髪体２１を構成し、整髪体２１を本体ケース１に対して支軸３６回りに反転回動可能に支持するようにした。こうした整髪ユニットによれば、整髪体２１を反転回動操作するだけで、整髪体２１の姿勢を収容姿勢と整髪姿勢に切換えることができるので、例えば、整髪体２１を往復スライドして姿勢を切換えるような場合に比べて、整髪体２１の姿勢切換えをワンタッチ操作で即座に行える。
【００３５】
整髪体２１および変向機構２２と、これら両者２１・２２を支持する整髪ノズル２０で整髪ユニットがアタッチメント化してあると、整髪ユニットを取外した状態における本体ケース１の重量を軽減できるので、本体ケース１のみで髪乾燥を行う場合のヘアードライヤーの取扱いを軽快に行える。
【００３６】
補助ノズル７０を備えているヘアードライヤーにおいて、補助ノズル７０にダミーピン７４が設けてあると、補助ノズル７０を付属品装着部８に係合装着した状態において、ダミーピン７４を接続端子６７で係合捕捉でき、その分だけ補助ノズル７０の装着強度を増強できる。従って、本体ケース１や補助ノズル７０に衝突衝撃や落下衝撃が作用するような場合であっても、補助ノズル７０が本体ケース１から分離するのを防止できる。
【００３７】
本体ケース１の吸込口４に装着した補助グリップ９０が、乾燥風の吹出し中心軸Ｐに沿って突設されるグリップ軸部９２を備えるようにした。このように、補助グリップ９０を併用するヘアードライヤーによれば、グリップ軸部９２を握っている側の手および手首を、前腕軸の回りに軽くひねるだけでヘアーブラシ２１を楽にしかも適確に回転操作することができる。従って、ヘアーブラシ２１で髪を梳き流しながら乾燥する作業や、髪をくせ付けする作業をより楽な姿勢で効果的に行うことができる。また乾燥作業時には、グリップ軸部９２を握っている手の位置と、髪を捕捉しているヘアーブラシ２１の位置が遠く離れるので、髪の梳き流し状況や仕上がり状況を明確に目視して、使用者の意図するくせ付け処理を適確に行うことができる。
【００３８】
補助グリップ９０のグリップ軸部９２が、装着部９１の内部に連通する通気自在な筒軸で形成してあると、グリップ軸部９２と吸込口４を介して本体ケース１内に空気を吸込むことができるので、吸込口４における吸気抵抗を少なくすることができる。従って、補助グリップ９０の装着部９１が吸込口４に外嵌装着してあるにも拘らず、髪の乾燥やくせ付けを支障なく行うことができる。
【００３９】
装着部９１に形成した吸気開口９５と、グリップ軸部９２の突端に形成した吸気口９７から外部空気を吸込むようにした補助グリップ９０によれば、吸込口４における吸気抵抗をさらに少なくして、さらに大量の外部空気を本体ケース１内に取込むことができる。従って、吹出口５から送給される乾燥風量を充分なものとして、髪の乾燥やくせ付けをさらに効果的に行うことができる。
【００４０】
装着部９１を載置面に載置し、本体グリップ２の装着部２ａをグリップ軸部９２に装着することにより、補助グリップ９０が本体ケース１のスタンドを兼ねるようにした。このように、補助グリップ９０をヘアードライヤーのスタンドとして使用する使用形態によれば、乾燥風を髪に送給しながら、両手ともハンズフリーの状態で髪処理を行うことができるので、髪の乾燥やくせ付けなどの髪処理を多様化して、ヘアードライヤーの使い勝手をさらに向上できる。
【００４１】
整髪体２１が整髪姿勢に切換えられた状態において、支持ベース３０が本体ケース１の吹出口５の側からベース突端側に向かって下り傾斜し、ベース突端側の整髪要素３１が乾燥風の吹出し中心軸Ｐと交差するようにした。こうした整髪ユニットによれば、髪をヘアーブラシ２１で梳き流しながら乾燥させるとき、ブリッスル３１で捕捉された髪に、吹出し中心軸Ｐ付近の勢いのある乾燥風を直接吹き付けることができる。また、ヘアーブラシ２１を下り傾斜させてブリッスル３１で捕捉された髪に乾燥風を吹付けるので、変向機構２２を別途設ける場合に比べて、整髪ユニットの構造を簡素化して低コスト化できる。
【００４２】
整髪ノズル２０と整髪体２１を備えた整髪ユニットにおいて、整髪ノズル２０を本体ケース１で乾燥風の吹出し中心軸Ｐの回りに回転可能に支持し、本体ケース１と整髪ノズル２０の間に設けた節度構造で整髪ノズル２０を一定の回転角度おきに係合保持できるようにした。こうした整髪ユニットによれば、整髪ノズル２０およびヘアーブラシ２１を回転操作して、使用者の好みの位置に位置保持できるので、全体として髪の乾燥やくせ付けを楽な姿勢で効果的に行うことができる。
【００４３】
本発明に係る別のヘアードライヤーの整髪ユニットは、吹出口５に連続する風導筒部１０１と、風導筒部１０１の出口１０２から送給される乾燥風の送給領域内に設けられる整髪体２１を備えるようにした。このように、強い流れの乾燥風が送給される風導筒部１０１の出口１０２に整髪体２１が設けてあると、整髪体２１で捕捉された髪が、風量が多く高い温度の乾燥風に晒されてダメージを受けやすくなる。こうした髪のダメージを防ぐために、整髪ユニットが吹出口５に装着されたことを着脱検知スイッチ１１３が検知した状態において、制御部１５がヒーター１３の発熱量を減少させ、あるいはモーター１２の駆動回転数を増加させるようにしている。従って、強い流れの乾燥風が送給される風導筒部１０１の出口１０２に整髪体２１が設けてあったとしても、整髪体２１で捕捉された髪に送給される乾燥風の温度を低下させて、髪がダメージを受けて傷むのを解消できる。
【００４４】
本発明に係るさらに別のヘアードライヤーの整髪ユニットは、吹出口５に連続する風導筒部１０１と、風導筒部１０１の出口１０２から送給される乾燥風の送給領域内に設けられる整髪体２１を備えるようにした。このように、強い流れの乾燥風が送給される風導筒部１０１の出口１０２に整髪体２１が設けてあると、整髪体２１で捕捉された髪が、風量が多く高い温度の乾燥風に晒されてダメージを受けやすくなる。こうした髪のダメージを防ぐために、本体グリップ２が第２収納姿勢に切換ったことをグリップ検知スイッチ１１４が検知した状態において、制御部１５がヒーター１３の発熱量を減少させ、あるいはモーター１２の駆動回転数を増加させるようにした。従って、強い流れの乾燥風が送給される風導筒部１０１の出口１０２に整髪体２１が設けてあったとしても、整髪体２１で捕捉された髪に送給される乾燥風の温度を低下させて、髪がダメージを受けて傷むのを解消できる。
【００４５】
整髪ユニットの風導筒部１０１は、本体ケース１の吹出口５に連続する握り凹部１０５を備えており、握り凹部１０５が吹出口５の外径寸法Ｂ１より小径の領域において凹み形成されるようにした。こうした整髪ノズル２０によれば、握り凹部１０５の内凹み直径を小さくできるので、手が小さく指が短い使用者であっても握り凹部１０５を確りと握り保持した状態で髪処理を適切に行うことができる。
【００４６】
風導筒部１０１は、握り凹部１０５と、握り凹部１０５に連続するベルマウス部１０６を備えるようにした。また、ベルマウス部１０６は握り凹部１０５に連続して、風導筒部１０１の出口１０２へ向かって拡径状に形成されるようにした。こうした整髪ノズル２０によれば、握り凹部１０５を握り保持した手を、出口１０２へ向かって拡径状に形成されるベルマウス部１０６で受止めることができる。従って、握り凹部１０５を掴んで髪の乾燥や髪処理を行う場合に、握り凹部１０５を掴んでいる手が出口１０２へ向かってずれ動き、指先が出口１０２の側へはみ出るのを確実に防止して、髪の乾燥や髪処理をさらに確実に行うことができる。
【００４７】
風導筒部１０１の出口１０２の外径寸法Ｄ１は、本体ケース１の吹出口５の外径寸法Ｂ１より大きく設定した。こうした整髪ノズル２０によれば、握り凹部１０５を握り保持した手を、出口１０２の近傍に張出されたベルマウス部１０６で受止めることができるので、握り凹部１０５を掴んで髪の乾燥や髪処理を行う場合に、握り凹部１０５を掴んでいる手が出口１０２へ向かってずれ動き、指先が出口１０２の側へはみ出るのを確実に防止して、髪の乾燥や髪処理をさらに確実に行うことができる。
【００４８】
本体ケース１の吸込口４の外径寸法Ａ１と、本体ケース１の吹出口５の外径寸法Ｂ１と、風導筒部１０１の出口１０２の外径寸法Ｄ１の三者の関係は、不等式（Ｂ１＜＝Ｄ１＜＝Ａ１）を満足するように設定してある。こうした整髪ユニットによれば、整髪ノズル２０を小形化し軽量化できるので、整髪ユニットを本体ケース１に装着して髪の乾燥や髪処理を行う場合に、本体ケース１から突出する整髪ユニットが持ち重りするのを防止して、髪の乾燥や髪処理を軽快に行うことができる。
【００４９】
風導筒部１０１の握り凹部１０５は、内壁１０８と、内壁１０８に手が触れるのを阻止する外壁１１０で構成するようにした。こうした整髪ユニットによれば、整髪体２１で髪を梳き流すとき、乾燥風で加熱された内壁１０８の熱が外壁１１０に伝導するのを防いで握り凹部１０５の外周面が高温になるのを防止できる。従って、握り凹部１０５を掴んだ状態のままで、髪の乾燥や梳き流し、あるいはくせ付け作業を連続して念入りに行うことができる。
【図面の簡単な説明】
【００５０】
【図１】本発明の実施例１に係るヘアードライヤーの要部の縦断側面図である。
【図２】整髪ユニットを分離した状態のヘアードライヤーの側面図である。
【図３】整髪ユニットの正面図である。
【図４】変向機構および姿勢検知スイッチを示す縦断側面図である。
【図５】図１におけるＡ−Ａ線断面図である。
【図６】図１におけるＢ−Ｂ線断面図である。
【図７】ヒーターおよびモーターの制御状態を示すタイミングチャートである。
【図８】補助ノズルの縦断側面図である。
【図９】本発明の実施例２に係るヘアードライヤーの側面図である。
【図１０】本発明の実施例３に係るヘアードライヤーの側面図である。
【図１１】本発明の実施例４に係るヘアードライヤーの側面図である。
【図１２】本発明の実施例５に係るヘアードライヤーの側面図である。
【図１３】本発明の実施例６に係るヘアードライヤーの側面図である。
【図１４】本発明の実施例７に係るヘアードライヤーの側面図である。
【図１５】（ａ）（ｂ）は、本発明の実施例８に係るヘアードライヤーを構成する姿勢検知スイッチを示す側面図である。
【図１６】本発明の実施例９に係るヘアードライヤーの縦断側面図である。
【図１７】実施例９に係るヘアードライヤーの別の使用例を示す側面図である。
【図１８】本発明の実施例１０に係るヘアードライヤーの縦断側面図である。
【図１９】実施例１０に係る風導筒壁の関係寸法を示す側面図である。
【図２０】本発明の実施例１１に係るヘアードライヤーの縦断側面図である。
【図２１】本発明の実施例１２に係るヘアードライヤーの縦断側面図である。
【発明を実施するための形態】
【００５１】
（実施例１）  図１から図８に、本発明に係るヘアードライヤーの実施例１を示す。本発明における前後、左右、上下とは、図２に示す交差矢印と、各矢印の近傍に表記した前後、左右、上下の表示に従う。図２に示すように、ヘアードライヤーは、横長筒状の本体ケース１と、本体ケース１の後寄り下面に折り畳み可能に連結される本体グリップ２を備えている。本体グリップ２の前面には、ヘアードライヤーの動作を起動ないし停止し、さらに運転モードを切換えるスライド式のスイッチノブ３が設けられている。スイッチノブ３をオフ位置から一段押し上げると常温の冷風が送給され、さらにスイッチノブ３を一段押し上げると低温の温風が送給され、さらにスイッチノブ３を一段押し上げると高温の温風が送給される。
【００５２】
本体ケース１の後端には吸込口４が設けられ、前端には吹出口５が設けられており、本体ケース１の内部に吸込口４から吹出口５へ至る乾燥風通路が形成されている。吸込口４には、パンチングメタル製の吸込グリル６が装着されており、髪や衣服の一部が乾燥風通路に吸い込まれるのを防いでいる。また、吹出口５には、パンチングメタル製の吹出グリル７が設けられており、乾燥風通路内に手指等が入り込むのを防いでいる。吹出口５の開口縁と吹出グリル７との間には、後述する補助ノズル７０や整髪ユニット１９を選択的に着脱する付属品装着部８が設けられている。
【００５３】
乾燥風通路の内部には、軸流式の送風ファン１１と、送風ファン１１を回転駆動するモーター１２と、乾燥風を加熱するヒーター１３が上流側から下流側に向かって記載順に配置されている。モーター１２は図示していないモーターケースに組付けられており、モーターケースの周囲には整流翼が放射状に設けられている。本体ケース１の内面上部で乾燥風通路の外には、モーター１２およびヒーター１３の作動状態を制御する制御部１５が設けてられている。
【００５４】
図２に示すように、本体グリップ２は本体ケース１に対して連結軸１６で起伏可能に連結されており、実線で示す使用位置と、本体グリップ２が本体ケース１の下面側へ折畳まれた第１収納位置と、本体グリップ２が吸込口４の下面側へ折起こされた第２収納位置とに回動変位することができる。また、各変位位置において、本体グリップ２を位置保持するために、連結軸１６に節度リング１７を固定し、本体ケース１の連結部の内面の３個所に節度凹部１８が設けられている。節度リング１７は、本体グリップ２と同行回転して、その周囲１個所に設けた節度突起１９が各変位位置において節度凹部１８と係合する。
【００５５】
髪を梳き流しながら乾燥する作業を楽な姿勢で効果的に行うために、整髪ユニットが設けられている。整髪ユニットはリング状の整髪ノズル２０と、整髪ノズル２０で支持されるヘアーブラシ（整髪体）２１と、整髪ノズル２０の内部に組まれる変向機構２２などでアタッチメント化されている。整髪ノズル２０の後面にはリング状の連結部２３が一体に設けられており、図１に示すように、連結部２３を先の付属品装着部８の内面の段部２４に圧嵌装着することにより、整髪ユニット１９を本体ケース１に装着することができる。
【００５６】
ヘアーブラシ２１は、ブラシ本体２８と、同本体２８の基端に連結される基軸体２９で構成される。ブラシ本体２８は乾燥風の吹出し中心軸Ｐに沿って水平に突設される平板状の支持ベース３０と、支持ベース３０の片面から吹出し中心軸Ｐに向かって突設される一群のブリッスル（整髪要素）３１で構成される。図１、図３、図５に示すように、ブリッスル３１は前後および左右に直線列を形成する状態で多列状に設けられている。ブラシ本体２８と基軸体２９は、ブラシ本体２８に設けた係合軸３２を基軸体２９の係合穴３３に弾性係合させることにより一体化される。また、基軸体２９のボス部３４を、整髪ノズル２０のブラケット３５に設けた支軸３６で支持することにより、ヘアーブラシ２１の全体を整髪姿勢と収容姿勢の間で姿勢変更できるようにしている。このように、ヘアーブラシ２１が本体ケース１で支軸３６の回りに反転回動可能に支持してあると、ヘアーブラシ２１を反転回動操作するだけで、ヘアーブラシ２１の姿勢を収容姿勢と整髪姿勢に切換えることができるので、例えば、整髪体２１を往復スライドして姿勢を切換えるような場合に比べて、ヘアーブラシ２１の姿勢切換えをワンタッチ操作で即座に行える。また、ブラシ本体２８を基軸体２９に対して係合軸３２の回りに回転操作することにより、ブラシ本体２８の姿勢を多様に変更することができる。例えば、本体グリップ２を握って頭部側面の髪を整髪する際には、図１に実線で示すようにブラシ本体２８を下向きにし、頭部後面の髪を整髪する際には、図１に想像線で示すようにブラシ本体２８を上向きにすることで、整髪しやすくして使い勝手を向上できる。ブラシ本体２８を上向きにした状態では、ブリッスル３１で捕捉した髪に温風を直接的に送給できないが、温風の送給と髪の梳き流しを交互に行うことにより整髪乾燥を行うことができる。上記のように、整髪姿勢にしたブラシ本体２８は、基軸体２９に対して吹出し中心軸Ｐと平行な軸回りに回転可能に取付けてある。
【００５７】
図１に示すように、ヘアーブラシ２１を整髪姿勢にした状態では、ヘアーブラシ２１が本体ケース１の吹出口５側の前端部から突出して、ブリッスル３１が乾燥風の吹き出し領域に臨んでいる。また、ヘアーブラシ２１を収容姿勢にした状態では、図２に示すように、ブリッスル３１が乾燥風の吹き出し領域から退避して、ヘアーブラシ２１が本体ケース１の周囲に沿う状態で収納される。乾燥風の吹き出し領域とは、整髪ノズル２０の出口（最終吹出口）２６から送給される乾燥風が、流れの勢いを損なうことなく到達する領域であって、出口２６を基端とする先拡がりテーパー状の空間である。従って、ブリッスル３１が乾燥風の吹き出し領域に臨んでいるとは、整髪姿勢においてブリッスル３１先端が、延長形状線Ｋより上方に位置している形態を含むこととする。
【００５８】
ヘアーブラシ２１で梳き流される髪に乾燥風を効果的に接触させるために、ヘアーブラシ２１を整髪姿勢にした状態では、ブリッスル３１の突端が、出口２６の開口縁の延長形状線Ｋと交差している。図１に示すように延長形状線Ｋは、出口２６の開口縁の直径と同径で、乾燥風の吹出し中心軸Ｐ回りの円周面を想定するときの仮想形状線である。このように、ブリッスル３１の突端が延長形状線Ｋと交差させてあると、整髪ノズル２０の出口２６から送給された勢いがある強い流れの乾燥風を、ブリッスル３１で捕捉した髪に吹付けることができる。従って、髪を梳き流しながら行う乾燥あるいはくせ付けなどの髪処理を効果的に行うことができる。
【００５９】
ヘアーブラシ２１を整髪姿勢と収容姿勢において位置保持するために、基軸体２９のボス部３４と、片方のブラケット３５の間に第１節度構造を設けている。図５に示すように第１節度構造は、ボス部３４に収容される節度ボール３９および、同ボール３９を押し出し付勢する圧縮ばね４０と、ブラケット３５の側に凹み形成した２個の節度凹部４１で構成される。先に説明したように、ブラシ本体２８は基軸体２９に対して係合軸３２を介して連結されており、係合軸３２が係合穴３３で回動可能に支持されている。そのため、ヘアーブラシ２１を整髪姿勢にしたうえで、ブラシ本体２８を係合軸３２の回りに回動操作することにより、ブリッスル３１が突出する向きをユーザーの好みに応じて変更することができる。また、ブリッスル３１をユーザーの好みの位置で位置保持するために、ブラシ本体２８と基軸体２９の接合面の間に第２節度構造が設けられている。第２節度構造は第１節度構造と同様に、基軸体２９の側に収容される節度ボール４３および、同ボール４３を押し出し付勢する圧縮ばね４４と、ブラシ本体２８の側に凹み形成した８個の節度凹部４５で構成され、ブラシ本体２８が４５度回転操作される毎に位置保持できる。
【００６０】
ヘアーブラシ２１が整髪姿勢に切換えられた状態において、乾燥風の大半をヘアーブラシ２１に向かって流動案内して髪の乾燥を効果的に行うために、整髪ノズル２０の内部に変向機構２２が組込まれている。図１および図４において変向機構２２は、整髪ノズル２０の筒壁で上下揺動可能に支持される３個の変向板４８と、これらの変向板４８を同時に切換え操作する変向板操作体４９と、変向板操作体４９を押上げ付勢する板ばね製の復帰ばね５０で構成される。変向板４８は後縁が丸められ、前縁に向かって尖る翼形断面に形成されており、後縁に変向板操作体４９で揺動操作される長穴５１が形成される。変向板操作体４９は、変向板４８の後側の左右中央と直交する操作腕５３と、操作腕５３の上端に連続するばね受座５４と、ばね受座５４から上向きに突設される受動軸５５と、受動軸５５から後向きに突設される切換片５６を一体に備えたプラスチック成形品からなる。受動軸５５の上部は基軸体２９の揺動領域に臨んで突出されている。
【００６１】
各変向板４８と変向板操作体４９は、変向板操作体４９に固定した操作ピン５７と長穴５１を介して連結されている。従って、ヘアーブラシ２１が整髪姿勢に切換えられた状態では、変向板操作体４９が復帰ばね５０の付勢力に抗して押下げ操作されて、図１に示すように変向板４８をヘアーブラシ２１に向かって上り傾斜状の変向姿勢に切換えることができる。また、ヘアーブラシ２１が収容姿勢に切換えられた状態では、変向板操作体４９が復帰ばね５０で押上げ操作されて、図４に示すように変向板４８を乾燥風の吹出し中心軸Ｐに沿う待機姿勢に復帰させる。このように、変向機構２２の変向板４８は、ヘアーブラシ２１が収容姿勢から整髪姿勢に切換えられるのに連動して、待機姿勢から変向姿勢に切換え操作される。変向板４８が変向姿勢に切換え操作された状態では、吹出口５から送給される乾燥風の大半をヘアーブラシ２１に向かって流動案内できるので、髪の乾燥やくせ付けを効果的に行うことができる。
【００６２】
反面、高温の乾燥風が過度に供給される場合には、髪にダメージを与えてしまうおそれがある。こうした不具合を解消するために、整髪ノズル２０の上部のスイッチ区画６０の内部に姿勢検知スイッチ６１を設けて、高温の温風が送給されるのを解消できるようにしている。姿勢検知スイッチ６１は、上側のスイッチ端子６２と、下側のスイッチ端子６３で構成されており、ヘアーブラシ２１が整髪姿勢に切換えられた状態では、上側のスイッチ端子６２が切換片５６で押下げ操作されて、両端子６２・６３が導通しオン状態になる（図１参照）。また、ヘアーブラシ２１が収容姿勢に切換えられた状態では、上側のスイッチ端子６２と切換片５６が上方移動して、両端子６２・６３が分離しオフ状態になる（図４参照）。先の復帰ばね５０と、ばね受座５４と、受動軸５５と、切換片５６もスイッチ区画６０の内部に収容されている。
【００６３】
姿勢検知スイッチ６１の出力信号（オン信号）を制御部１５に出力するために、本体ケース１と整髪ユニット１９の間にコネクター６５が設けられている。コネクター６５は、整髪ノズル２０に固定されて各スイッチ端子６２・６３と導通する一対のコネクターピン６６と、本体ケース１の側に設けられる一対の接続端子６７で構成される。各接続端子６７は、端子板および接続リードを介して制御部１５に接続される。ヘアードライヤーの使用時に、姿勢検知スイッチ６１から制御部１５にオン信号が出力されると、制御部１５は図７（ａ）に示すように、ヒーター１３の熱出力を予め設定された出力から低下させて発熱量を減少させて温風の温度を低下させる。あるいは図７（ｂ）に示すように、姿勢検知スイッチ６１から制御部１５にオン信号が出力されると、制御部１５はモーター１２の駆動回転数を予め設定された回転数より増加させて温風の温度を低下させる。必要があれば、ヒーター１３の熱出力を低下させる制御と、モーター１２の駆動回転数を増加させる制御を同時に行ってもよい。また、ヘアーブラシ２１が収容姿勢に切換えられたとき、両端子６２・６３が導通してオン状態に切換り、ヘアーブラシ２１が整髪姿勢に切換えられたとき、両端子６２・６３が分離してオフ状態に切換るように姿勢検知スイッチ６１が構成してあってもよい。その場合には、収容姿勢で通常温風を送給し、整髪姿勢で温風の温度を低下させて送給するように、制御部１５がヒーター１３の熱出力を低下させる制御と、モーター１２の駆動回転数を増加させる制御の、少なくとも一方を行うようにしてあればよい。
【００６４】
実施例１のヘアードライヤーは、上記の整髪ユニットとは別の付属品として補助ノズル７０を備える。図８において補助ノズル７０の後面には付属品装着部８に着脱されるリング状の連結部７１が一体に設けられ、補助ノズル７０の出口７２側は先拡がり状に形成されていて、乾燥風を先拡がり状に拡散した状態で送給することができる。補助ノズル７０を付属品装着部８に装着した状態においては、連結部７１が段部２４と係合して補助ノズル７０を本体ケース１と一体化できるが、これら両者１・７０の連結強度をさらに増強するために、補助ノズル７０の上面にボス部７３を膨出形成し、その後面に接続端子６７と係合するダミーピン７４を設けている。このように、補助ノズル７０を付属品装着部８に装着した状態において、ダミーピン７４を接続端子６７と係合させると、ダミーピン７４と接続端子６７の係合強度の分だけ、補助ノズル７０と本体ケース１の連結強度を増強できるので、補助ノズル７０が衝突衝撃や落下衝撃などの外力を受けて付属品装着部８から分離するのをよく防止できる。
【００６５】
以上のように構成した実施例１に係るヘアードライヤーによれば、整髪体２１で髪を梳き流しながら乾燥させる作業や髪のくせ付け作業を、常に楽な姿勢で効果的に行える。また、本体ケース１の周囲に整髪体２１を常備しているので、必要時には整髪体２１を即座に使用可能な状態にすることができ、全体として使い勝手に優れたヘアードライヤーを提供できる。
【００６６】
実施例１における整髪体２１は、整髪姿勢において乾燥風の吹出し中心軸Ｐに沿って突設される支持ベース３０と、支持ベース３０から乾燥風の吹出し中心軸Ｐに向かって多列状に突設される整髪要素３１の一群で構成するようにした。こうした整髪ユニットを備えたヘアードライヤーによれば、ヘアードライヤーを乾燥風の吹出し中心線Ｐと交差する向きに移動させることで、髪を整髪体２１で梳きながら乾燥させることができ、従来の乾燥機に比べて、自然で楽な姿勢で髪処理を行うことができる。また、整髪体２１に多列状に突設される整髪要素３１の一群を設けたので、髪の乾燥、梳き流し、くせ付けなどの各種の髪処理に適した量の髪を整髪要素３１で過不足なく捕捉して、髪処理を効果的に行うことができる。
【００６７】
さらに、実施例１におけるヘアードライヤーでは、本体ケース１に姿勢検知スイッチ６１を設けて、整髪体２１が整髪姿勢に切換え操作されたことを姿勢検知スイッチ６１が検知した状態では、制御部１５がモーター１２の駆動回転数を増加させ、あるいはヒーター１３の発熱量を減少させるようにした。こうしたヘアードライヤーによれば、髪束が整髪体２１で捕捉された状態において、髪束に送給される乾燥風の温度を低下して、高温の温風が髪束に過度に送給されるのを解消できるので、髪にダメージを与えることなく好適に髪処理を行うことができる。
【００６８】
（実施例２）  図９に本発明の実施例２に係るヘアードライヤーを示す。そこでは、実施例１と同様に、ヘアーブラシ２１をブラシ本体２８と基軸体２９で構成するが、整髪ノズル２０の上部にヘアーブラシ２１を支持するための連結部７７を設け、基軸体２９の下面に突設した支軸３６を連結部７７で回転可能に支持して、ヘアーブラシ２１を垂直軸回りに姿勢変更できるようにした。ヘアーブラシ２１を整髪姿勢にした状態では、ヘアーブラシ２１が本体ケース１の吹出口５側の前端部から突出して、ブリッスル３１が乾燥風の吹き出し領域に臨む。また、ヘアーブラシ２１を収容姿勢にした状態では、想像線で示すように、乾燥風の吹き出し領域から退避したブリッスル３１が本体ケース１の上周面と正対する。ヘアーブラシ２１を整髪姿勢と収容姿勢において位置保持するために、基軸体２９と連結部７７との間に、第１節度構造と同等の節度構造を設けた。この節度構造は節度ボール３９、圧縮ばね４０、節度凹部４１で構成してある。ヘアーブラシ２１が整髪姿勢に切換えられた状態では、変向板操作体４９を基軸体２９で押下げ操作して、変向板４８を上り傾斜状の変向姿勢に切換えることができる。他は実施例１と同じであるので、同じ部材に同じ符号を付してその説明を省略する。以下の各実施例においても同じとする。
【００６９】
（実施例３）  図１０に本発明の実施例３に係るヘアードライヤーを示す。そこでは、本体ケース１の上部の前端から後端寄りにわたってブラシ収容部７９を設け、ブラシ収容部７９に収容したヘアーブラシ２１を前後にスライド操作して、整髪姿勢と収容姿勢に切換えられるようにした。そのために、ヘアーブラシ２１の支持ベース３０の後端上面に操作ノブ８０を設けて、同ノブ８０をブラシ収容部７９の上壁に開口したガイド溝８１に沿ってスライド操作できるようにした。また、ヘアーブラシ２１のブリッスル３１は、支持ベース３０に固定したピン８２で起伏可能に支持し、ヘアーブラシ２１をブラシ収容部７９に収容する場合に、ブリッスル３１を支持ベース３０に沿って倒伏収納できるようにした。
【００７０】
（実施例４）  図１１に本発明の実施例４に係るヘアードライヤーを示す。そこでは、支持ベース３０と、同ベース３０の一側から突設される一群の櫛歯（整髪要素）３１とで櫛（整髪体）２１を構成し、櫛２１を実施例３のヘアーブラシ２１と同様に、本体ケース１に設けたブラシ収容部７９にスライド出し入れできるようにした。そのために、櫛２１の支持ベース３０の後端上面に操作ノブ８０を設けて、同ノブ８０をブラシ収容部７９の上壁に開口したガイド溝８１に沿ってスライド操作できるようにした。
【００７１】
（実施例５）  図１２に本発明の実施例５に係るヘアードライヤーを示す。そこでは、整髪姿勢に切換えられた状態におけるヘアーブラシ２１の傾きを、第１使用姿勢における本体グリップ２の傾きとの関係で設定して、本体グリップ２を握った状態で行う整髪作業を容易にしかも的確に行えるようにした。詳しくは、乾燥風の吹出し中心軸Ｐと、吹出し中心軸Ｐと直交する垂直線Ｑを想定し、本体ケース１の下面に突設した本体グリップ２のグリップ中心軸線Ｒと、前記垂直線Ｑが挟む角度をθとするとき、整髪姿勢に切換えられた整髪体２１の整髪軸線Ｓと、乾燥風の吹出し中心軸Ｐが挟む角度を前記角度θと同じに設定した。角度θは０〜２５度の範囲内で選定できる。このように、ヘアーブラシ２１の傾き角度が本体グリップ２の傾き角度θと同じに設定してあると、本体グリップ２を握った状態で髪の乾燥あるいは梳き流し作業を行う場合に、整髪体２１と本体グリップ２の傾きの差を修正しながらヘアードライヤーを移動操作する必要がない。従って、髪の乾燥あるいは梳き流し作業を、楽な姿勢で容易に行うことができる。
【００７２】
（実施例６）  図１３に本発明の実施例６に係るヘアードライヤーを示す。そこでは、実施例１と同様に、整髪ユニットを整髪ノズル２０と、支軸３６の回りに反転回動可能に支持されるヘアーブラシ２１で構成するが、ヘアーブラシ２１が整髪姿勢に切換えられた状態において、支持ベース３０を本体ケース１の吹出口５の側からベース突端側に向かって下り傾斜させる点が実施例１と異なっている。ヘアーブラシ２１が下り傾斜して整髪姿勢に切換った状態では、ベース突端側のブリッスル３１が乾燥風の吹出し中心軸Ｐと交差する。また、整髪ノズル２０と付属品装着部８の接合面に第１節度構造と同等の節度構造を設けて、整髪ノズル２０およびヘアーブラシ２１を吹出し中心軸Ｐの回りの４ないし８か所で位置保持できるようにした。この節度構造は節度ボール３９、圧縮ばね４０、節度凹部４１で構成してある。
【００７３】
こうした整髪ユニットによれば、髪をヘアーブラシ２１で梳き流しながら乾燥させるとき、ブリッスル３１で捕捉された髪に、吹出し中心軸Ｐ付近の勢いのある乾燥風を直接吹き付けることができる。また、整髪ノズル２０およびヘアーブラシ２１を回転操作して、使用者の好みの位置に位置保持できるので、全体として髪の乾燥やくせ付けを楽な姿勢で効果的に行うことができる。さらに、ヘアーブラシ２１を下り傾斜させてブリッスル３１で捕捉された髪に乾燥風を吹付けるので、別途変向機構２２を設ける場合に比べて整髪ユニットの構造を簡素化して低コスト化できる。
【００７４】
（実施例７）  図１４に本発明の実施例７に係るヘアードライヤーを示す。そこでは、ヘアーブラシ２１を整髪姿勢に切換えた状態において、支持ベース３０をベース突端側に向かって下り傾斜させ、ベース突端側の７列のブリッスル３１を乾燥風の吹出し中心軸Ｐと交差させる点で実施例６と同じである。しかし、実施例７における整髪ユニットは、整髪ノズル２０を省略して、ヘアーブラシ２１の支軸３６を本体ケース１に設けたブラケット８３で反転揺動可能に支持する点が実施例６と異なる。こうした整髪ユニットによれば、髪をヘアーブラシ２１で梳き流しながら乾燥させるとき、ブリッスル３１で捕捉された髪に、吹出し中心軸Ｐ付近の勢いのある乾燥風を直接吹き付けることができる。また、整髪ノズル２０を省略した分だけ、整髪ユニットの構造を簡素化して低コスト化し、軽量化できる。
【００７５】
（実施例８）  図１５に本発明のヘアードライヤーを構成する姿勢検知スイッチ６１を示す。図１５（ａ）では、基軸体２９の側に埋設固定した磁石８５と、本体ケース１の側に埋設固定したブレーク形のリードスイッチ８６で姿勢検知スイッチ６１を構成し、ヘアーブラシ２１が整髪姿勢に切換えられた状態において、リードスイッチ８６のリード体が閉成してオン信号を制御部１５に出力できるようにした。図１５（ｂ）では、基軸体２９の側に設けた切換え突起８７と、本体ケース１の側に設けた常閉形の押しボタンスイッチ８８で姿勢検知スイッチ６１を構成し、ヘアーブラシ２１が整髪姿勢に切換えられた状態において、押しボタンスイッチ８８がオン信号を制御部１５に出力できるようにした。
【００７６】
（実施例９）  図１６および図１７に本発明の実施例９に係るヘアードライヤーを示す。図１６に示すように補助グリップ９０は、吸込口４に外嵌される装着部９１と、装着部９１の後面の中央から乾燥風の吹出し中心軸Ｐに沿って突設されるグリップ軸部９２を備えた漏斗状のプラスチック成形品からなる。詳しくは、グリップ軸部９２は、その中心軸が乾燥風の吹出し中心軸Ｐと略同軸となるように突設してあり、乾燥風の吹出し中心軸Ｐは、筒状の本体ケース１の中心軸と略同軸になっている。装着部９１は筒壁９３と、筒壁９３の後縁に連続する端壁９４を備えており、使用時に吸込グリル６に密着する端壁９４の周方向４個所に外部空気の通過を許す扇形の吸気開口９５が形成してある。また、筒壁９３の下面中央には、通口９６が切欠形成してある。グリップ軸部９２は、装着部９１の内部に連通する通気自在な筒軸で形成されて、グリップ軸部９２の突端に外部空気の通過を許す吸気口９７が開口してある。筒壁９３の開口縁の内面の３個所には、本体ケース１の段部１ａに係合する係合リブ９８が形成してある。
【００７７】
ヘアーブラシ２１で髪を梳き流しながら乾燥作業を行う場合には、髪の長さや、頭部における乾燥させる髪の位置の違いなどに応じて、本体グリップ２を握り保持した状態と、本体ケース１の周面を掴んだ状態でヘアードライヤーを保持することが多い。しかし、いずれの場合にも、ヘアーブラシ２１で髪を梳き流しながら本体ケース１を回転操作して髪をカールさせる場合に、ヘアードライヤーを保持している手や腕の姿勢、および角度が不自然になりやすく使い勝手が悪い。こうした使い勝手の悪さを解消するために補助グリップ９０を設けている。
【００７８】
補助グリップ９０を備えたヘアードライヤーにおいては、図１６に示すように、補助グリップ９０の装着部９１を吸込口４側の本体ケース１に装着し、グリップ軸部９２を片手で握り保持して、ヘアーブラシ２１で髪を梳き流しながら本体ケース１を乾燥風の吹出し中心軸Ｐの回りに回転操作して髪をカールさせる。先に説明したように、グリップ軸部９２は乾燥風の吹出し中心軸Ｐに沿って突設してあるので、グリップ軸部９２を握っている側の手および手首を、前腕軸の回りに軽くひねるだけでヘアーブラシ２１を楽にしかも適確に回転操作することができる。従って、ヘアーブラシ２１で髪を梳き流しながら乾燥する作業や、髪をくせ付けする作業をより楽な姿勢で効果的に行うことができる。また乾燥作業時には、グリップ軸部９２を握っている手の位置と、髪を捕捉しているヘアーブラシ２１の位置が遠く離れるので、髪の梳き流し状況や仕上がり状況を明確に目視して、使用者の意図するカール処理を適確に行うことができる。
【００７９】
補助グリップ９０は、ヘアードライヤーを載置保持した状態で使用するためのスタンドを兼ねている。そのため、本体グリップ２の下端に断面が丸軸状のスタンド軸部２ａを設け、スタンド軸部２ａの直径をグリップ軸部９２の内面直径より僅かに小さく設定している。補助グリップ９０をスタンドとして使用する場合には、図１７に示すように、装着部９１の筒開口が載置面で支持されるように補助グリップ９０を台上に載置し、電源コード９９をグリップ軸部９２および装着部９１の内部に通し、通口９６から導出した状態で、スタンド軸部２ａをグリップ軸部９２の吸気口９７に内嵌装着する。このように、補助グリップ９０をヘアードライヤーのスタンドとして使用する使用形態によれば、乾燥風を髪に送給しながら、ハンズフリーの状態で髪処理を行うことができるので、髪の乾燥やくせ付けなどの髪処理を多様化して、ヘアードライヤーの使い勝手をさらに向上できる。
【００８０】
（実施例１０）  図１８および図１９に本発明の実施例１０に係るヘアードライヤーを示す。そこでは、付属品装着部８に着脱される整髪ノズル２０と、整髪ノズル２０の出口２６の中央に固定されるロールブラシ（整髪体）２１で整髪ユニットを構成している。整髪ノズル２０は風導筒部１０１を備えており、風導筒部１０１の後端に付属品装着部８の段部２４に係合する連結部２３が形成してあり、風導筒部１０１の出口１０２の内面に、ロールブラシ２１を固定するための連結ボス１０３と放射状の支持枠１０４が形成してある。風導筒部１０１は、本体ケース１の吹き出し口５に連続する握り凹部１０５と、握り凹部１０５に連続するベルマウス部１０６を備えており、ベルマウス部１０６は握り凹部１０５に連続して、風導筒部１０１の出口１０２へ向かって拡径状に形成されている。上記のように、ロールブラシ２１は整髪ノズル２０の出口２６から送給される乾燥風の送給領域内の中央に配置してある。
【００８１】
握り凹部１０５は、それぞれ内凹み筒状に形成される内壁１０８と、内壁１０８の外に断熱空間１０９を隔てて固定される外壁１１０とで多重筒状に形成してある。このように、握り凹部１０５が内壁１０８と外壁１１０で多重筒状に形成してあると、ロールブラシ２１で髪を梳き流すとき、乾燥風で加熱された内壁１０８の熱が外壁１１０に伝導するのを防ぐことができ、さらに断熱空間１０９で熱の伝導を遮断できるので、握り凹部１０５の外周面が高温になるのを防止できる。従って、握り凹部１０５を掴んだ状態のままで、髪の乾燥や梳き流し、あるいはくせ付け作業を連続して行うことができる。上記のように外壁１１０は、高温の内壁１０８に手が直接触れるのを阻止して、内壁１０８の熱が手指に伝わるのを防いでいる。
【００８２】
図１９に整髪ノズル２０および握り凹部１０５と、本体ケース１の関係寸法の詳細を示している。図１９において、本体ケース１の吸込口４の外径寸法をＡ１とし、吹出口５の外径寸法をＢ１とするとき、握り凹部１０５は吹出口５の外径寸法Ｂ１より小径の領域において内凹み状に形成されている。こうした整髪ノズル２０によれば、握り凹部１０５の内凹み直径を小さくできるので、手が小さく指が短い使用者であっても握り凹部１０５を確りと握り保持した状態で髪処理を行うことができる。
【００８３】
ベルマウス部１０６が握り凹部１０５に連続して、風導筒部１０１の出口１０２へ向かって拡径状に形成してあると、握り凹部１０５を握り保持した手を、出口１０２へ向かって拡径状に形成されるベルマウス部１０６で受止めることができる。従って、握り凹部１０５を掴んで髪の乾燥や髪処理を行う場合に、握り凹部１０５を掴んでいる手が出口１０２へ向かってずれ動き、指先が出口１０２の側へはみ出るのを確実に防止して、髪の乾燥や髪処理をさらに確実に行うことができる。
【００８４】
また、風導筒部１０１の出口１０２の外径寸法をＤ１とするとき、外径寸法Ｄ１が本体ケース１の吹出口５の外径寸法Ｂ１より大きく設定してあると、上記と同様に握り凹部１０５を握り保持した手を、出口１０２の近傍に張出されたベルマウス部１０６で受止めることができるので、握り凹部１０５を掴んで髪の乾燥や髪処理を行う場合に、握り凹部１０５を掴んでいる手が出口１０２へ向かってずれ動き、指先が出口１０２の側へはみ出るのを確実に防止して、髪の乾燥や髪処理をさらに確実に行うことができる。
【００８５】
本体ケース１の吸込口４の外径寸法Ａ１と、本体ケース１の吹出口５の外径寸法Ｂ１と、風導筒部１０１の出口１０２の外径寸法Ｄ１の三者の関係は、不等式（Ｂ１＜＝Ｄ１＜＝Ａ１）を満足するように設定してある。こうした整髪ノズル２０によれば、整髪ノズル２０を小形化し軽量化できるので、整髪ユニットを本体ケース１に装着して髪の乾燥や髪処理を行う場合に、本体ケース１から突出する整髪ユニットが持ち重りするのを防止して
髪の乾燥や髪処理を軽快に行うことができる。
【００８６】
ロールブラシ２１は、丸筒状のブラシ軸（支持ベース）３０と、ブラシ軸３０の周囲に放射状に突設した一群のブリッスル（整髪要素）３１を備えており、ブラシ軸３０の筒壁には乾燥風を吹出し送給する風開口１１２の一群が形成してある。こうしたロールブラシ２１によれば、送風ファン１１で送給された乾燥風の一部をブラシ軸３０の内部に導入し、風開口１１２から吹出すことができるので、ブリッスル３１で捕捉されてブラシ軸３０に巻かれた髪を内側からも加熱し、あるいは冷却できる。
【００８７】
上記のように、ロールブラシ２１が整髪ノズル２０の出口２６の中央に配置してあると、ロールブラシ２１で捕捉された髪に高温の温風が供給されて、髪にダメージを与えてしまうおそれがある。こうした髪のダメージを防止するために、本体ケース１の付属品装着部８の周囲壁に着脱検知スイッチ１１３を配置して、整髪ユニットが吹出口５に装着されたか否かを確認できるようにした。そのうえで、整髪ユニットが吹出口５に装着されたことを着脱検知スイッチ１１３が検知した状態においては、制御部１５がヒーター１３の発熱量を減少させ、あるいはモーター１２の駆動回転数を増加させて、高温の温風が送給されるのを解消できるようにした。こうしたヘアードライヤーによれば、強い流れの乾燥風が送給される風導筒部１０１の出口１０２に整髪体２１が設けてあったとしても、整髪体２１で捕捉された髪に送給される乾燥風の温度を低下させて、髪がダメージを受けて傷むのを解消できる。
【００８８】
（実施例１１）  図２０に本発明の実施例１１に係るヘアードライヤーを示す。実施例１１の整髪ユニットおよびヘアードライヤーは実施例１０で説明した整髪ユニットおよびヘアードライヤーと同じであるが、整髪ユニットを使用するとき、本体グリップ２を折起こして第２収納姿勢にし、さらに吸込口４に補助グリップ９０を装着した状態で髪処理を行う。その場合には、図２０に示すように、本体ケース１の節度凹部１８のひとつにグリップ検知スイッチ１１４を配置して、本体グリップ２が第２収納姿勢に切換ったことをグリップ検知スイッチ１１４で検知できるようにしている。そのうえで、本体グリップ２が第２使用姿勢に切換ったことをグリップ検知スイッチ１１４が検知した状態において、制御部１５がヒーター１３の発熱量を減少させ、あるいはモーター１２の駆動回転数を増加させて、高温の温風が送給されるのを解消できるようにした。こうしたヘアードライヤーによれば、強い流れの乾燥風が送給される風導筒部１０１の出口１０２に整髪体２１が設けてあったとしても、整髪体２１で捕捉された髪に送給される乾燥風の温度を低下させて、髪がダメージを受けて傷むのを解消できる。なお、実施例１１に係るヘアードライヤーでは、補助グリップ９０を吸込口４に装着した状態で髪処理を行う必要はなく、本体ケース１の周囲壁や、風導筒部１０１の握り凹部１０５を掴んだ状態で髪処理を行うことができる。握り凹部１０５を掴んだ状態で髪処理を行う場合には、本体グリップ２を第２収納姿勢にできるので、本体グリップ２が邪魔になるのを防ぐことができる。
【００８９】
（実施例１２）  図２１に本発明の実施例１２に係るヘアードライヤーを示す。そこでは、付属品装着部８に着脱される整髪ノズル２０と、整髪ノズル２０の出口２６に固定される３個の整髪ロッド（整髪体）２１で整髪ユニットを構成している。整髪ノズル２０は風導筒部１０１を備えており、風導筒部１０１の後端に付属品装着部８の段部２４に係合する連結部２３が形成してあり、風導筒部１０１の出口１０２の内面に支持枠１０４を設け、支持枠１０４に沿って３個の整髪ロッド２１を直線列状に配置した。上記のように、３個の整髪ロッド２１は整髪ノズル２０の出口２６から送給される乾燥風の送給領域内に配置してある。
【００９０】
風導筒部１０１は、本体ケース１の吹き出し口５に連続する握り凹部１０５と、握り凹部１０５に連続するベルマウス部１０６を備えており、ベルマウス部１０６は握り凹部１０５に連続して、風導筒部１０１の出口１０２へ向かって拡径状に形成されている。握り凹部１０５は、内凹み筒状に形成される内壁１０８と、内壁１０８の外面の周方向一定間隔おきに突設したリブ壁（外壁）１１０で構成してある。リブ壁１１０は、高温の内壁１０８に手指が直接触れるのを阻止するために設けてあり、そのために、周方向に隣接するリブ壁１１０は、指先が入込んで内壁１０８に接触するのを阻止できる間隔をあけて放射状に突設してある。こうした握り凹部１０５によれば、内壁１０８の熱を一群のリブ壁１１０で放熱し、さらに手指が高温の内壁１０８に直接触れるのをリブ壁１１０で阻止できる。従って、実施例１０の整髪ユニットと同様に、髪の乾燥や梳き流し、あるいはくせ付け作業を連続して行うことが可能となる。
【００９１】
整髪ロッド２１は丸筒状に形成されて、筒壁に一群の風開口１１２が形成してある。こうした整髪ロッド２１によれば、送風ファン１１で送給された乾燥風の一部を整髪ロッド２１の内部に導入し、風開口１１２から吹出すことができるので、整髪ロッド２１で捕捉された髪を内側からも加熱し、あるいは冷却できる。
【符号の説明】
【００９２】
１  本体ケース
２  本体グリップ
４  吸込口
５  吹出口
８  付属品装着部
１１  送風ファン
１２  モーター
１３  ヒーター
１５  制御部
２０  整髪ノズル
２１  ヘアーブラシ（整髪体）
２２  変向機構
２６  整髪ノズルの出口（最終出口）
２８  ブラシ本体
２９  基軸部
３０  支持ベース
３１  ブリッスル（整髪要素）
３６  支軸
４８  変向板
４９  変向板操作体
５０  復帰ばね
６１  姿勢検知スイッチ
６５  コネクター
６６  コネクターピン
６７  接続端子
７０  補助ノズル
７４  ダミーピン
９０  補助グリップ
９１  装着部
９２  グリップ軸部
９５  吸気開口
９７  吸気口
１０１  風導筒部
１０５  握り凹部
１０６  ベルマウス部
【図１】
2019126633.tif 000003
【図２】
2019126633.tif 000004
【図３】
2019126633.tif 000005
【図４】
2019126633.tif 000006
【図５】
2019126633.tif 000007
【図６】
2019126633.tif 000008
【図７】
2019126633.tif 000009
【図８】
2019126633.tif 000010
【図９】
2019126633.tif 000011
【図１０】
2019126633.tif 000012
【図１１】
2019126633.tif 000013
【図１２】
2019126633.tif 000014
【図１３】
2019126633.tif 000015
【図１４】
2019126633.tif 000016
【図１５】
2019126633.tif 000017
【図１６】
2019126633.tif 000018
【図１７】
2019126633.tif 000019
【図１８】
2019126633.tif 000020
【図１９】
2019126633.tif 000021
【図２０】
2019126633.tif 000022
【図２１】
2019126633.tif 000023